(57)【要約】【課題】オフィス、展示会場、ショールーム、公共施設などの場所において展示内容を説明したり施設を案内する情報機器を収納するために適した情報機器用筐体筐体を提供する。設置場所をとらず設置が容易で、かつ利用者にとって見やすいものである。【解決手段】脚部１と、脚部１に立設して所定の間隔で取り付けられた支柱２と、支柱２の間に設けられた横桟３と、支柱２に取りつけられた前面パネル４及び背面パネル５とを備える。支柱２、前面パネル４及び背面パネル５により囲まれた空間に収納部が設けられる。側面からみて、支柱２は脚部１から利用者の腰部高さ付近まで略直線状に延び、それより上部において利用者の胸部高さ近傍を中心として概ね円弧を描くように湾曲して延び、支柱の上端は利用者の頭部よりも高い位置にある。支柱２の湾曲している部分Ｂ−１〜Ｂ−３に薄型表示装置が収納される。【選択図】        図１
2004350968.tif 000002
【特許請求の範囲】
【請求項１】
オフィス、展示会場、ショールーム、公共施設などの場所において展示内容を説明したり施設を案内するための情報機器を収納する筐体であって、
脚部と、
前記脚部に立設して所定の間隔で取り付けられた複数の支柱と、
前記複数の支柱の間に設けられたひとつ又は複数の横桟と、
前記支柱に取りつけられた前面パネル及び背面パネルと、を備え、
前記支柱、前面パネル及び背面パネルにより囲まれた空間に、それぞれ情報機器を収納するための複数の収納部が設けられ、
側面からみて、前記支柱は前記脚部から利用者の腰部高さ付近まで略直線状に延び、それより上部において利用者の胸部高さ近傍を中心として概ね円弧を描くように湾曲して延び、前記支柱の上端は利用者の頭部よりも高い位置にあり、
前記支柱の略直線状の部分に薄型処理装置の収納部が設けられ、
前記支柱の湾曲している部分に薄型表示装置の収納部が連続して複数設けられたことを特徴とする情報機器用筐体。
【請求項２】
薄型処理装置の収納部に横桟が設けられ、前記薄型処理装置は前記横桟上に載置され、前記横桟には貫通穴が設けられていることを特徴とする請求項１記載の情報機器用筐体。
【請求項３】
薄型表示装置の収納部に、前記薄型表示装置の背面を押さえる第１部材と、前記支柱に設けられて前記第１部材を係止する係止部材と、前記薄型表示装置の前面を押さえる第２部材とを備え、
前記第２部材は、前記薄型表示装置の表示面に相当する部分が開口され、その内面が前記薄型表示装置の前面に適合する形状であり、
前記薄型表示装置は前記第１部材及び前記第２部材により固定されることを特徴とする請求項１記載の情報機器用筐体。
【発明の詳細な説明】
【０００１】
【発明の属する技術分野】
本発明に係る情報機器用筐体は、オフィス、展示会場、ショールーム、公共施設などにおいて展示内容を説明したり施設を案内するための情報機器を収納する筐体に関し、特に、薄型表示装置や薄型処理装置を収納し、これらにより常時あるいは随時に映像や音響を流して来訪者に説明や案内を提供したり、利用者から要求や操作を受け付けたりするものに関する。
【０００２】
【従来の技術】
従来、オフィス、展示会場、ショールーム、公共施設などにおいて展示されている商品等の内容や特徴を説明するために各種パネルが用いられていた。近年、このようなパネルに代えてパソコンを設置してその表示装置上に各種説明画像を表示することも行われている。
【０００３】
【発明が解決しようとする課題】
パソコンを複数設置する場合、机やテーブルをパソコンの数だけ並べてそれぞれにパソコンを設置していた。そのため設置場所をとるとともに、そのためのケーブルの処理が煩わしく、机やテーブルごとに設置場所の壁や床にケーブル用貫通穴を設けなければならなかった。
【０００４】
この発明は、上記課題に鑑みてなされたもので、設置場所をとらず設置が容易で、かつ利用者にとって見やすい画面を提供することができる情報機器用筐体を提供することを目的とする。
【０００５】
【課題を解決するための手段】
この発明に係る情報機器用筐体は、オフィス、展示会場、ショールーム、公共施設などの場所において展示内容を説明したり施設を案内するための情報機器を収納する筐体であって、
脚部と、
前記脚部に立設して所定の間隔で取り付けられた複数の支柱と、
前記複数の支柱の間に設けられたひとつ又は複数の横桟と、
前記支柱に取りつけられた前面パネル及び背面パネルと、を備え、
前記支柱、前面パネル及び背面パネルにより囲まれた空間に、それぞれ情報機器を収納するための複数の収納部が設けられ、
側面からみて、前記支柱は前記脚部から利用者の腰部高さ付近まで略直線状に延び、それより上部において利用者の胸部高さ近傍を中心として概ね円弧を描くように湾曲して延び、前記支柱の上端は利用者の頭部よりも高い位置にあり、
前記支柱の略直線状の部分に薄型処理装置の収納部が設けられ、
前記支柱の湾曲している部分に薄型表示装置の収納部が連続して複数設けられたものである。
【０００６】
好ましくは、薄型処理装置の収納部に横桟が設けられ、前記薄型処理装置は前記横桟上に載置され、前記横桟には貫通穴が設けられている。
【０００７】
好ましくは、薄型表示装置の収納部に、前記薄型表示装置の背面を押さえる第１部材と、前記支柱に設けられて前記第１部材を係止する係止部材と、前記薄型表示装置の前面を押さえる第２部材とを備え、
前記第２部材は、前記薄型表示装置の表示面に相当する部分が開口され、その内面が前記薄型表示装置の前面に適合する形状であり、
前記薄型表示装置は前記第１部材及び前記第２部材により固定される。
【０００８】
【発明の実施の形態】
この発明の実施の形態について図面を参照して説明を加える。
図１は発明の実施の形態に係る情報機器用筐体の正面図である。図２は同じく側面図である。図３は同じく上面図である。
【０００９】
これらの図面に示すように、発明の実施の形態に係る情報機器用筐体は、上面図においてハの字状になっているパイプ状の２つの脚部１と、基部である脚部１の２つのパイプにそれぞれ立設して設けられ所定の間隔で取り付けられたパイプ状の２つの支柱２と、支柱２の間に設けられたパイプ状の横桟３（図１〜図３において支柱２の上端に取りつけられている）と、支柱に取りつけられた前面パネル４（この例で前面パネルは４つの部分４−１〜４−５に分割されている）及び背面パネル５とを備える。
【００１０】
支柱２、前面パネル４及び背面パネル５により囲まれた空間に、それぞれ情報機器を収納するための複数の収納部が設けられる。図１に示すようにこの筐体には、ノートパソコン等の薄型処理装置を収納する部分Ａ（前面パネル４−１により形成される）と、液晶表示装置等の薄型表示装置を収納する部分Ｂ−１〜Ｂ−３（それぞれ前面パネル４−２〜４−４により形成される）と、人体感知センサなどを収納する部分Ｃの３種類の収納部（前面パネル４−５により形成される）が設けられている。前面パネル４−１の上部には３つの横長の通風孔が設けられている。収納部Ｂ−１〜Ｂ−３は支柱２に沿って連続して設けられていて、本筐体の前面の利用者に対して同時に３種類の画面を提供することができる。収納部Ｃの人体感知センサは本筐体の付近に利用者が来たことを検知して、処理装置および表示装置を起動するものである。
【００１１】
図２に示すように本筐体はその一部が湾曲などの特徴を備える。すなわち、側面からみて、（１）支柱２は脚部１から利用者の腰部高さ付近（７０ｃｍ）まで略直線状に延び、（２）それより上部において利用者の胸部高さ近傍を中心として概ね円弧を描くように湾曲して延び（その半径は例えば利用者の立つ位置に合わせる）、（３）支柱２の上端は利用者の頭部よりも高い位置（１８０ｃｍ）にある。
【００１２】
具体的には、利用者の平均的身長を１７０ｃｍ程度として、脚部１の長さは５４ｃｍ、支柱２の高さは１８１ｃｍ、その間隔は４０ｃｍ、支柱２の直径は３２ｍｍ、前面パネル４及び背面パネル５の幅は３９ｃｍ、直線部の終端高さは７４ｃｍ、湾曲部の半径（Ｒ１）は６０ｃｍ、その中心の高さは１２９ｃｍである（利用者が本筐体の前面３０〜４０ｃｍの位置に立つときその胸部付近に中心が来る）。支柱２、前面パネル４及び背面パネル５による収納部の奥行きは５ｃｍ程度であり、ノートパソコンや液晶表示装置を収納することができる。収納部Ｂ−１〜Ｂ−３の高さはそれぞれ２９ｃｍである。
【００１３】
直線部分に設けられた収納部Ａはノートパソコン等の薄型処理装置の収納部である。支柱２の湾曲している部分に設けられた収納部Ｂ−１〜Ｂ−３は液晶表示装置等の薄型表示装置の収納部である。本筐体において収納部Ｂ−１〜Ｂ−３が連続して複数設けられたことを特徴とする。
【００１４】
上述のような構成をとることにより、重ねて設けられた複数の前記薄型表示装置を利用者が容易に見ることができるのである。
【００１５】
図４は薄型処理装置を収納する収納部Ａの斜視図である。図４（ａ）は前面パネル４−１を外した状態を示す。同図に示すように、薄型処理装置の収納部Ａには横桟３ａが設けられている。薄型処理装置Ｐは横桟３ａ上に載置されている。横桟３ａの上面図である図４（ｂ）に示すように、横桟３ａには貫通穴Ｈが設けられていて、この穴Ｈに電源ケーブルや信号ケーブルを通すことにより、各種ケーブルを筐体内に収納して外観をすっきりとさせることができる。同様の穴Ｈを全ての横桟３に設けてもよい。
【００１６】
図５は薄型表示装置を収納する収納部Ｂ−１〜Ｂ−３のうちのひとつを示す断面図、図６は同じく斜視図である。第１部材６−１、６−２は薄型表示装置Ｄの背面を押さえるものであり、係止部材７は支柱２に取りつけられて第１部材６−１，６−２を係止するものである。第１部材６−１、６−２は断面Ｌ字型のアングルであり、薄型表示装置Ｄの背面の角をしっかりと押さえる。アングルの両端は反対側に折り曲げられてタブ状になっている。この部分に小さな穴が設けられていて、これに係止部材７が嵌り込んで第１部材６−１、６−２を固定する。この係止機構として各種ラッチ機構、ボールマウント、ねじやボルトなどを用いることができる。前面パネル（第２部材）４は本筐体のパネルであるとともに、薄型表示装置Ｄの前面を押さえるためのものである。前面パネル４は薄型表示装置Ｄの表示面に相当する部分が開口されているとともに、前面パネル４の表面が前記支柱に合わせて湾曲されている。他方、その内面は薄型表示装置Ｄの前面に適合する形状（例えば図５に示すように直線状）に成形されている。第１部材６−１，６−２及び前面パネル４により薄型表示装置Ｄは収納部Ｂ−１〜Ｂ−３に固定されるのである。
【００１７】
薄型表示装置Ｄの外形形状に合わせて、前面パネル４の開口部の大きさや第１部材６−１，６−２のアングルの形状・大きさが適宜選択されるが、係止部材７との係合位置（前述の小さな穴）は一定とされる。薄型表示装置Ｄの形状の違いを前面パネル４と第１部材６−１，６−２に吸収させることにより、任意の形状の薄型表示装置を収納することができる。
【００１８】
なお、前面パネル４に薄型表示装置Ｄを前面側から押さえる機能を持たせたが、前面パネル４とは別にそのための第２部材を設けるようにしてもよい。
【００１９】
本発明の実施の形態に係る情報機器用筐体は、オフィス、展示会場、ショールーム、公共施設などにおいて展示内容を説明したり施設を案内するための情報機器を収納する筐体である。収納した情報機器により常時映像や音響を流して来訪者に説明や案内を提供したり、収納した人体感知センサにより付近に利用者が来たときに処理装置および表示装置を起動して説明や案内を提供するものである。
【００２０】
本筐体は機器収納部をユニット化したので各機器の付け外しが容易であるとともに、筐体自体も背を高くし、ユニットを多層化して複数の表示装置を見やすく配置できる。従来、複数のテーブルを配置し、それぞれにパソコン・表示装置を配置していたのに比べ、本筐体はコンパクトで設置場所をとらず、デザイン的にも優れている。
【００２１】
しかも、本筐体はその一部が図２に示すように湾曲し、その湾曲している部分に表示装置を重ねて配置しているので、利用者にとって非常に見やすいものとなっている。
【００２２】
図４に示すように、薄型処理装置の収納部Ａには横桟３ａが設けられ、薄型処理装置Ｐは横桟３ａ上に載置されている。横桟３ａには貫通穴Ｈが設けられていて、この穴Ｈに電源ケーブルや信号ケーブルを通し、脚部１の部分で外に出したり、床下に導いたりして、ケーブル類を隠すことができる。収納部Ａの上部に通気穴を設けることにより処理装置で発生する熱を外部へ逃がすことができる。
【００２３】
図５、図６に示すように、第１部材６−１、６−２で薄型表示装置Ｄの背面の角をしっかりと押さえるとともに、薄型表示装置Ｄの前面に適合する形状の内面をもつ前面パネルで薄型表示装置Ｄの前面をしっかりと押さえている。係止部材７で第１部材６−１，６−２をしっかりと支柱２に係止する。薄型表示装置Ｄの形状の違いを前面パネル４と第１部材６−１，６−２に吸収させることができるので、任意の形状の薄型表示装置を収納することができる。
【００２４】
図７は他の筐体例を示す側面図である。図７において、図２の場合と比べて湾曲部分の長さが短くなっているが、これ以外の点は同じである。直線状の部分の長さ、円弧の始点位置などが同じであれば同様の作用効果を奏する。
【００２５】
本発明は、以上の実施の形態に限定されることなく、特許請求の範囲に記載された発明の範囲内で、種々の変更が可能であり、それらも本発明の範囲内に包含されるものであることは言うまでもない。
【００２６】
【発明の効果】
以上のように、この発明によれば、複数の表示装置を容易に設置でき、かつ利用者にとって見やすい画面を提供することができる。本発明により複数の表示装置を重ねて設置でき、利用者が複数の表示装置を同時に見ることができる。
【図面の簡単な説明】
【図１】発明の実施の形態に係る情報機器用筐体の正面図である。
【図２】発明の実施の形態に係る情報機器用筐体の側面図である。
【図３】発明の実施の形態に係る情報機器用筐体の上面図である。
【図４】発明の実施の形態に係る情報機器用筐体の薄型処理装置を収納する収納部の斜視図である。
【図５】発明の実施の形態に係る情報機器用筐体の薄型表示装置を収納する収納部の断面図である。
【図６】発明の実施の形態に係る情報機器用筐体の薄型表示装置を収納する収納部の斜視図である。
【図７】発明の実施の形態に係る他の情報機器用筐体の側面図である。
【符号の説明】
１    脚部
２    支柱
３    横桟
４    前面パネル
５    背面パネル
６    薄型表示装置の背面を押さえるための第１部材
７    係止部材
【図１】
2004350968.tif 000003
【図２】
2004350968.tif 000004
【図３】
2004350968.tif 000005
【図４】
2004350968.tif 000006
【図５】
2004350968.tif 000007
【図６】
2004350968.tif 000008
【図７】
2004350968.tif 000009